(57)【特許請求の範囲】
【請求項１】
先に設置されている既設沈埋函に対してこれを延長する配置に新設沈埋函を接合するに際し、前記既設沈埋函の接合端部に対する新設沈埋函の高さを調整する既設沈埋函に対する新設沈埋函高さ調整方法において、
前記既設沈埋函の両側面に下側ジャッキ支持台を突設しておくとともに、前記新設沈埋函の両側面に、該新設沈埋函接合の際に前記下側ジャッキ支持台の上方に対向する配置に上側ジャッキ支持台を突設しておき、前記新設沈埋函を沈降させ、前記下側のジャッキ支持台上に高さ調整用の支承ジャッキを介して上側のジャッキ支持台を支承させ、然る後，前記ジャッキにより新設沈埋函の高さを調整することを特徴としてなる既設沈埋函に対する新設沈埋函高さ調整方法。
【請求項２】
新設沈埋函が、その両端部が既設沈埋函に接合される沈埋函トンネル最終接続用の沈埋函であり、該新設沈埋函の両端部両側面に上側のジャッキ支持台をそれぞれ設け、該新設沈埋函両側の既設沈埋函の各接合端部両側に各下側ジャッキ支持台を備えてなる請求項１に記載の既設沈埋函に対する新設沈埋函高さ調整方法。
【請求項３】
既設沈埋函の接合端面が、斜め上向きに傾斜されているとともに、新設沈埋函の接合端面が前記傾斜と略同角度に傾斜されている請求項１若しくは２に記載の既設沈埋函に対する新設沈埋函高さ調整方法。
【請求項４】
先に設置されている既設沈埋函に対してこれを延長する配置に新設沈埋函を接合するに際し、前記既設沈埋函の接合端部に対する新設沈埋函の高さを調整する既設沈埋函に対する新設沈埋函高さ調整装置であって、前記既設沈埋函の両側面に備えた下側ジャッキ支持台と、前記新設沈埋函の両側面に、前記既設沈埋函の下側ジャック支持台の上側に対向させた位置に備えた上側ジャッキ支持台と、前記上下側の両ジャッキ支持台間に介在させる新設沈埋函高さ調整用の支承ジャッキとをもって構成されることを特徴としてなる既設沈埋函に対する新設沈埋函高さ調整装置。
【請求項５】
新設沈埋函が、その両端部が既設沈埋函に接合される沈埋函トンネル最終接続用の沈埋函であり、該新設沈埋函の両端部両側面に上側のジャッキ支持台をそれぞれ設け、該新設沈埋函両側の既設沈埋函の各接合端部両側に各下側ジャッキ支持台を備えてなる請求項４に記載の既設沈埋函に対する新設沈埋函高さ調整装置。
【請求項６】
既設沈埋函の接合端面が、斜め上向きに傾斜されているとともに、新設沈埋函の接合端面が前記傾斜と略同角度に傾斜されている請求項４若しくは５に記載の既設沈埋函に対する新設沈埋函高さ調整装置。
【発明の詳細な説明】
【０００１】
【発明の属する技術分野】
本発明は、沈埋函トンネルの構築に際し、既設沈埋函に対して接合する新設沈埋函の高さを調整するための既設沈埋函に対する新設沈埋函高さ調整方法及びその装置に関する。
【０００２】
【従来の技術】
従来、沈埋函トンネルの構築における最終部分の沈埋函接合方法として、図６に示すように、最終的に沈設される新設沈埋函１の両接合端面１ａ，１ｂを斜め下向きに傾斜させるとともに、その両端側に先に沈設してある既設沈埋函２，２の接合端面２ａ，２ｂを、前記新設沈埋函１の接合端面の傾斜と同角度に傾斜させておき、両既設沈埋函接合端面２ａ，２ｂ間のＶ型の最終接続部内に、両端面がＶ型の新設沈埋函１を沈降させ、沈設高さを調節した後、接合面間を、図７に示すようにモルタル３の注入によって膨張する止水ゴム４を介して接合させ、然る後、接合部のバルクヘッド５，５間を大気に開放することによって、水圧によってＶ型の新設沈埋函１をＶ型の最終接続部内に引き入れさせて一次止水するようにした工法が開発されている（特開平１１−１５２７６３号公報）。
【０００３】
この工法では、図６に示すように新設沈埋函１の高さ調節のために、水底に仮支承台６を構築し、新設沈埋函１内に高さ調節用の支承ジャッキ７を設置し，支承ジャッキロッド８を仮支承台６上に支持させ、支承ジャッキ７の操作によって新設沈埋函１の高さ調節を行っている。
【０００４】
【発明が解決しようとする課題】
上述のような従来の工法では、少くとも４基の仮支承台を、水深が数十メートルの水底に構築する必要があり、その施工は潜水作業によらなければならず，そのための制限や、航路閉鎖に関する制限など、各種の制限が伴い、多くの費用と長時間を要するという問題があった。
【０００５】
本発明は、このような従来の状況に鑑み、潜水夫による作業を要することなく又は少い作業で、新設沈埋函沈設高さ調節のための工事が、低コストで短時間に行える既設沈埋函に対する新設沈埋函高さ調整方法及びその装置の提供を目的としてなされたものである。
【０００６】
【課題を解決するための手段】
上述の如き従来の問題を解決し、所期の目的を達成するための本発明に係る既設沈埋函に対する新設沈埋函高さ調整方法の特徴は、先に設置されている既設沈埋函に対してこれを延長する配置に新設沈埋函を接合するに際し、前記既設沈埋函の接合端部に対する新設沈埋函の高さを調整する既設沈埋函に対する新設沈埋函高さ調整方法において、前記既設沈埋函の両側面に下側ジャッキ支持台を突設しておくとともに、前記新設沈埋函の両側面に、該新設沈埋函接合の際に前記下側ジャッキ支持台の上方に対向する配置に上側ジャッキ支持台を突設しておき、前記新設沈埋函を沈降させ、前記下側のジャッキ支持台上に高さ調整用の支承ジャッキを介して上側のジャッキ支持台を支承させ、然る後，前記ジャッキにより新設沈埋函の高さを調整することにある。
【０００７】
また、本発明に係る既設沈埋函に対する新設沈埋函高さ調整装置の特徴は、先に設置されている既設沈埋函に対してこれを延長する配置に新設沈埋函を接合するに際し、前記既設沈埋函の接合端部に対する新設沈埋函の高さを調整する既設沈埋函に対する新設沈埋函高さ調整装置であって、前記既設沈埋函の両側面に備えた下側ジャッキ支持台と、前記新設沈埋函の両側面に、前記既設沈埋函の下側ジャック支持台の上側に対向させた位置に備えた上側ジャッキ支持台と、前記上下側の両ジャッキ支持台間に介在させる新設沈埋函高さ調整用ジャッキとをもって構成されることにある。
【０００８】
なお、上記方法及び装置において、新設沈埋函が、その両端部が既設沈埋函に接合される沈埋函トンネル最終接続用の沈埋函であり、該新設沈埋函の両端部両側面に上側のジャッキ支持台をそれぞれ設け、該新設沈埋函両側の既設沈埋函の各接合端部両側に各下側ジャッキ支持台を備えてもよく、また、既設沈埋函の接合端面が、斜め上向きに傾斜せ、新設沈埋函の接合端面が前記傾斜と略同角度に傾斜させてもよい。
【０００９】
【発明の実施の形態】
次に本発明の実施形態の一例を図１〜図３について説明する。
【００１０】
図１は本発明を実施した沈埋函トンネルの最終連結部の一例を示しており、図中１０は沈埋函トンネルの最終接続部を構成する新設沈埋函（最終接続沈埋函）である。新設沈埋函１０は、両端の接合端面をＶ字型配置、即ち両接合端面１０ａ，１０ｂを斜め下向きに傾斜させたテーパー状に成形されている。また、図中１１，１１はそ新設沈埋函１０の両端側に先に沈設された既設沈埋函であり、各既設沈埋函１１，１１の互いに向かい合う接合端面１１ａ，１１ｂは、それぞれが接合される前記新設沈埋函１０の両接合端面１０ａ，１０ｂと略同傾斜に形成され、両接合端面１１ａ，１１ｂ間に、両端がＶ字型配置のテーパー状をした最終接合部が形成されている。
【００１１】
各既設沈埋函１１，１１の最終接合部側の両接合端部両側面には、それぞれ下側ジャッキ支持台１２が突設されており、これらに対応する新設沈埋函１０両接合端部の両側面には、前記既設沈埋函の各下側ジャッキ支持台１２，１２……の上方に対向する配置に、それぞれ上側ジャッキ支持台１３，１３……が突設されている。
【００１２】
このようにして各対を成す上下側のジャッキ支持台１２，１３間に新設沈埋函高さ調整用の支承ジャッキ１４がそれぞれ介在されており、この各ジャッキ１４，１４……を操作して新設沈埋函１０の、既設沈埋函１１，１１間における高さを調整できるようにしている。
【００１３】
次に、このように構成される装置を使用した新設沈埋函高さ調整方法について説明する。新設、既設の各沈埋函１０，１１の各ジャッキ支持台１２，１３は沈埋函の製造時に予め所定位置に設置しておき、各既設沈埋函１１，１１を所定の位置に沈設した後、図３に示すように新設沈埋函１０を既設沈埋函１１，１１の端部間の最終接合部に、吊り降ろし装置を使用して沈降させる。この沈降に先立ち、新設沈埋函の各上側ジャッキ支持台１３下に支承ジャッキ１４を下向きに固定しておく。尚、支承ジャッキを下側支持台１２に固定しておいてもよい。
【００１４】
このようにして新設沈埋函を所定の位置に沈降させ、各支承ジャッキ１４の下端を両既設沈埋函の各下側ジャッキ支持台１２上に当接させる。然る後、各支承ジャッキ１４を適宜操作して新設沈埋函１０を所定の高さに調整する。
【００１５】
尚、上述の例では，沈埋函トンネルの最終接合部におけるトンネル連通用の新設沈埋函沈設について説明したが、この他、順次延長させる沈埋函トンネルの始端部や途中部分の新設沈埋函の高さ調整にも使用することができ、この場合は、図４に示すように、先端側下部には仮支承台６を構築する必要がある（図１〜図３に示す例と同じ部分には同じ符号を付して説明を省略する。以下同じ）。
【００１６】
また、上述の例では、接合端面が上下に傾斜している場合について説明したが、これに限らず、図５に示すように接合端面が沈埋函長手方向に対して直交した形状ものにも使用できる。
【００１７】
【発明の効果】
上述のように、本発明に係る既設沈埋函に対する新設沈埋函高さ調整方法及びその装置は、既設沈埋函の両側面に下側ジャッキ支持台を突設しておくとともに、新設沈埋函の両側面に、該新設沈埋函接合の際に前記下側ジャッキ支持台の上方に対向する配置に上側ジャッキ支持台を突設しておき、前記新設沈埋函を沈降させ、前記下側のジャッキ支持上に高さ調整用の支承ジャッキを介して上側のジャッキ支持台を支承させ、前記ジャッキにより新設沈埋函の高さを調整するようにしたことにより、従来使用していた水底面の仮支承台の構築をなくし、また、ジャッキ支持台を沈埋函製造時に所定の個所に設置することができるため、沈設現場での作業が少なくなり、低コストでより安全に、短時間で沈設作業を完了させることができる。
【００１８】
また、新設沈埋函が、その両端部が既設沈埋函に接合される沈埋函トンネル最終接続用の沈埋函であり、該新設沈埋函の両端部両側面に上側のジャッキ支持台をそれぞれ設け、該新設沈埋函両側の既設沈埋函の各接合端部両側に各下側ジャッキ支持台を備えることにより、沈埋函トンネルの最終連結部部の沈埋函接合作業に、同様に好適に利用できる。
【００１９】
更に、既設沈埋函の接合端面が、斜め上向きに傾斜させるとともに、新設沈埋函の接合端面が前記傾斜と略同角度に傾斜させることにより、従来のＶ字型配置の接合端面を有する最終接続沈埋函接合工法に、同様に好適に利用できる。
【図面の簡単な説明】
【図１】本発明を実施する沈埋函接合部の概略を示す側面図である。
【図２】図１中のＡ−Ａ線断面図である。
【図３】本発明方法の施工状態を示す側面図である。
【図４】本発明の他の例を示す側面図断面図である。
【図５】本発明の更に他の例を示す側面図である。
【図６】従来方法を示す側面図断面図である。
【図７】同上の部分断面図である。
【符号の説明】
１  新設沈埋函
１ａ  接合端面
１ｂ  接合端面
２  既設沈埋函
２ａ  接合端面
２ｂ  接合端面
３  モルタル
４  止水ゴム
５  バルクヘッド
６  仮支承台
７  支承ジャッキ
８  支承ジャッキロッド
１０  新設沈埋函
１０ａ，１０ｂ  接合端面
１１  既設沈埋函
１１ａ，１１ｂ  接合端面
１２  下側ジャッキ支持台
１３  上側ジャッキ支持台
１４  支承ジャッキ
【図１】
0003564502.tif 000002
【図２】
0003564502.tif 000003
【図３】
0003564502.tif 000004
【図４】
0003564502.tif 000005
【図５】
0003564502.tif 000006
【図６】
0003564502.tif 000007
【図７】
0003564502.tif 000008